(57)【要約】【課題】手作業でも手早く確実にバンドの固定ができて梱包作業を容易化できる梱包用バンドを提供する。【解決手段】中央部にバンド２の挿通孔１３が形成された四角形の枠体１１と、この枠体１１の一外側部に基部を折曲げ可能に連結されて前記挿通孔１３を通すバンドの長手方向と交叉する向きで挿通孔１３の一側部へ片寄せ設けられた一本の掛止め片１５と、でなる留め具１０と、この留め具１０の前記掛止め片１５が折曲げられて枠体１１上へ重ねられる位置に対向する枠体１１の一辺に、一端を巻掛け取付けられる所要寸法のプラスチックまたは織物製のバンド２とで構成される。【選択図】図１
0003155253.tif 000002
【実用新案登録請求の範囲】
【請求項１】
中央部にバンドの挿通孔が形成された四角形の枠体と、この枠体の一外側部に基部を折曲げ可能に連結されて前記挿通孔を通すバンドの長手方向と交叉する向きで挿通孔の一側部へ片寄せ設けられた一本の掛止め片と、でなる留め具と、
この留め具の前記掛止め片が折曲げられて枠体上へ重ねられる位置に対向する枠体の一辺に、一端を巻掛け取付けられる所要寸法のプラスチックまたは織物製バンドと、
で構成されることを特徴とする梱包用バンド。
【考案の詳細な説明】
【技術分野】
【０００１】  本考案は、主として梱包物に巻き付けて荷扱いを容易にする梱包作業を簡便にする梱包用バンドに関するものである。
【背景技術】
【０００２】  従来、各種品物を梱包するには、便利に取り扱えることからプラスチック製のバンドが多く使用されている。そのプラスチック製バンドは主に梱包機によって品物に巻き付けて梱包を行なうのに適している。この場合、巻き付け部におけるバンドの重ね合わせ部分は熱溶着されることにより結束固定されている。また、手作業でバンドを品物に巻き付けて梱包する場合には、バンドをの留め具を利用している。【０００３】  このような手作業で品物をバンドで結束して梱包するのに用いる留め具としては、例えば、特許文献１や特許文献２などによって知られるプラスチック製の留め具を使用して巻き付けたバンドの端部を折曲げて束縛し係止するものがある。【０００４】  前記特許文献１あるいは特許文献２によって知られる梱包用バンドの留め具は、角枠状に形成された基体（枠体）の一側面に平行する二本の掛止め片が基部で基体側へ折曲げ可能に連結形成され、基体の内側に形成されたバンドの挿入孔上へ前記掛止め片が折畳まれて巻掛けたバンドに係止力が作用するようにされている。
【先行技術文献】
【特許文献】
【０００５】
【特許文献１】  特許第２９８２４０１号公報
【特許文献２】  特開２０００−１２８２２６号公報
【考案の概要】
【考案が解決しようとする課題】
【０００６】  しかしながら、プラスチック製のバンドを用いて結束機により品物を自動的に結束梱包するものでは、多量の梱包作業を行うのに適している。そして、この自動梱包操作では、バンドの重ね合わせた両端部を熱溶着して固定する方式が多いが、この方式では溶着状態が強くなるとバンドが破断する恐れがある。また、前記特許文献１，２などによって知られる先行技術を用いて手作業で箱などの品物にバンドを巻け付け梱包する場合、使用されるバンドの留め具における二本の掛止め片を基体（枠体）側に折曲げて基体のバンド挿入孔に通したバンドの一部をループ状にして、そのループの中へ前記掛止め片を差し込む操作を一本ずつ行わねばならず、手数を要するばかりか一方のバンド端部を先に固定してからもう一方のバンド端部を掛止め片にて固定させる必要がある。したがって、この操作の際にバンドに加えている緊張力がゆるみ易く、不具合な梱包となるなどの問題点がある。【０００７】  本考案は、前述のような問題点を解消して簡単に取扱え、手作業でバンドの片方のみを留め具に掛止めるだけで手早く確実にバンドの固定ができ、梱包作業を容易化できる梱包用バンドを提供することを目的とするものである。
【課題を解決するための手段】
【０００８】  前記目的を達成するために、本考案による梱包用バンドは、
中央部にバンドの挿通孔が形成された四角形の枠体と、この枠体の一外側部に基部を折曲げ可能に連結されて前記挿通孔を通すバンドの長手方向と交叉する向きで挿通孔の一側部へ片寄せ設けられた一本の掛止め片と、でなる留め具と、
この留め具の前記掛止め片が折曲げられて枠体上へ重ねられる位置に対向する枠体の一辺に、一端を巻掛け取付けられる所要寸法のプラスチックまたは織物製バンドと、
で構成されることを特徴とするものである。
【考案の効果】
【０００９】  本考案によれば、バンドの一端に留め具が付着されているので、そのバンドの自由端側を被梱包物に巻き付けてからバンド端を留め具の枠体内挿通孔に差し込んで一つのループを形成した後に、掛止め片を基部で折曲げてそのループ内に入れ込むようにし、バンド端を引っ張って引き絞ることにより掛止め片と枠体とによって引き絞ったバンドが留め具に固定される。したがって、被梱包物にバンドを巻き付けてそのフリー端をバンドと一体の留め具の挿通孔にループを作って差し込み、一本の掛止め片折曲げてループ内に入れ込む操作と、バンドの引き絞り操作によって簡単に結束でき、作業性が著しく向上するという効果が得られるのである。【００１０】  そして、この考案の梱包用バンドは、留め具とバンドがセットされていて、構造が簡単であるから安価に提供でき、しかも使用済み後は留め具による固縛個所を緩めると取り外して再使用できるという効果をも奏するものである。
【図面の簡単な説明】
【００１１】
【図１】本考案の梱包用バンドの一実施形態を表わす全体図である。
【図２】留め具の展開図（ａ）とＡ−Ａ断面図（ｂ）である。
【図３】梱包用バンドの使用状態を表わす図で、留め具でバンドを固定する直前の態様を表わす図（ａ）とバンドを留め具で締結固定した態様を表わす図（ｂ）である。
【考案を実施するための最良の形態】
【００１２】  次に、本考案によるファイルの具体的な実施の形態について、図面を参照しつつ説明する。【００１３】  この実施形態の梱包用バンド１は、バンドの一端に取付けられた留め具１０と、この留め具１０と一体的に連なる所要長さのプラスチック製のバンド２とで構成されている。【００１４】  前記留め具１０は、図２に示されるように、所要寸法の四角形に形成される枠体１１と、この枠体１１の一辺外側に基端を連結されて突き出すように形成される掛止め片１５とで形成され、全体をプラスチックで成形されたものである。なお、前記枠体１１の内側にはバンド２を通す挿通孔１３が形成され、この挿通孔１３は角形で一辺が使用されるバンド２の幅寸法よりやや広い寸法とされている。また、前記枠体１１は外形に丸みを付けて使用時に手指に傷がつかないように配慮されている。【００１５】  また、前記掛止め片１５は、全長が前記枠体１１の幅方向の外寸法とほぼ同じ寸法にして両端部両側に適宜寸法で突出部１６，１６が形成されており、基部が肉厚を薄くされた接続部１７によって前記枠体１１の一辺の外側に連結され、その接続部１７において枠体１１側に折曲げ容易にされている。なお、この掛止め片１５は、枠体１１に対してその前記挿通孔１３の軸線ａと直交する方向に折曲げて上面に重なり合うようにして、かつその挿通孔１３に接する枠体の縁１２上に中心線ｂが位置するような関係で前記接続部１７が連結されている。【００１６】  また、前記枠体１１におけるバンド挿通孔１３の縁１２には、前記掛止め片１５と接する上面および下面に突起条１４が形成され、バンド２との接触抵抗を高めるようにされている。【００１７】  一方、バンド２は、一般に使用されている緊張力に強い樹脂繊維（例えば、ポリプロピレン樹脂製）を用いた帯状のもので、梱包に適用できる長さ、例えば１．５ｍ〜２．０ｍ程度のものであり、一端に前記留め具１０の挿通孔１３に差し込んで折り返し枠体１１の一辺に巻き付け熱溶着し、枠体１１と巻き付け部３を介して一体的に連結されている。【００１８】  このように構成されるこの実施形態の梱包用バンド１は、梱包される品物（例えば、カートンボックス２０）の外側にバンド２を巻き付け、次いで図３（ａ）に示されるように、留め具１０の挿通孔１３にバンド２の他端（自由端）を差し込んでループ５を形成する。この状態で掛止め片１５を接続部１７で前記バンド２のループ５内側に折曲げて挿入する。すると、前記掛止め片１５は、連結される接続部１７が薄肉に形成されているので簡単に折曲げられて枠体１１の上に折り重ねられる。【００１９】  したがって、ループ５を形成しているバンド２の自由端側に力を加えて引き絞ると、図３（ｂ）で示されるように、カートンボックス２０の表面に巻き付けられているバンド２が緊張すると同時に、バンド２のループ５に形成されている部分が収縮し、バンド２の緊張力によって掛止め片１５が枠体１１の上面に引き寄せられる。こうすることで、留め具１０の枠体１１と掛止め片１５とに巻き付けられたバンド２の一部が枠体１１の縁１２部と掛止め片１５とによって挟み込まれ、前記縁１２上に掛止め片１５の中心線ｂが位置する関係で、バンド２の掛止め片１５に巻き付け��れた部分に強い抵抗力が与えられ、緊張状態を保って固定されることになる。なお、この際、枠体１１におけるバンド挿通孔１３の縁１２には、前記掛止め片１５と接する上面および下面に突起条１４が形成されているので、掛止め片１５に巻き付いて引き絞りによって押し付けられているバンド２の一部に移動方向へ大きな抵抗が付加され、引き絞りによる反動を阻止されて固定状態が維持される。この結果、梱包用バンド１によってカートンボックス２０を簡単確実に梱包することができる。【００２０】  このように構成された本実施形態の梱包用バンドによれば、留め具とバンドが一体に形成されていて、被梱包物に巻き付けたバンドの自由端をその留め具の挿通孔に差し込んで一個のループを作った後、留め具枠体に付されている掛止め片を折曲げてバンドのループ内に差し込みバンドを引き絞れば固縛できるので，操作が簡単で確実に梱包できるという効果を奏する。【００２１】  なお、本考案によれば、前記バンドについて樹脂繊維製のものに限定されことはなく、紙製縒り紐を引き揃えてなる梱包用バンドを使用することもできる。また、バンドの自由端を斜め切りしておけば、留め具のバンド挿通孔に差し込む操作を容易にする。
【符号の説明】
【００２２】  １      梱包用バンド
２      バンド
５      ループ
１０    留め具
１１    枠体
１３    バンドの挿通孔
１５    掛止め片
１７    接続部
【図１】
0003155253.tif 000003
【図２】
0003155253.tif 000004
【図３】
0003155253.tif 000005